(57)【要約】【課題】  収納体の一部を外装体の開口部より外部に臨ませることで、収納物品の識別を容易にする。【解決手段】  収納物品を収納する収納体２と、収納体２が嵌挿される外装体３とを備える。外装体３には、一側面に収納体２の挿入口４が形成されると共に、一側面に対向する他側面に収納体２を外部に臨ませる開口部６が形成される。挿入口４は、外装体３に一体の蓋体５に閉塞される。収納体２の開口部６には、互いに相対する一対の辺に、開口部６内に折り込まれる第１及び第２の折込片３８，４０が形成されると共に、一対の辺の間の辺に、第１及び第２の折込片３８，４０に連続し開口部６の内側から外側に折り返される折返し片４２が形成される。開口部６は、折返し片４２によって一部が閉塞されると共に、開口されている領域より収納体２の挿入面となる前面２ａを外部に臨ませる。【選択図】  図１
2007030926.tif 000002
【特許請求の範囲】
【請求項１】
収納物品を収納する収納体と、
上記収納体が嵌挿される外装体とを備え、
上記外装体には、一側面に上記収納体の挿入口が形成されると共に、上記一側面に対向する他側面に上記収納体を外部に臨ませる開口部が形成され、
上記挿入口は、上記外装体に一体の蓋体に閉塞され、
上記収納体の開口部には、互いに相対する一対の辺に、上記開口部内に折り込まれる第１及び第２の折込片が形成されると共に、上記一対の辺の間の辺に、上記第１及び第２の折込片に連続し上記開口部の内側から外側に折り返される折返し片が形成され、
上記開口部は、上記折返し片によって一部が閉塞されると共に、開口されている領域より上記収納体の挿入面を外部に臨ませることを特徴とする包装装置。
【請求項２】
上記収納体の外装体への挿入面は、化粧面となっていることを特徴とする請求項１記載の包装装置。
【発明の詳細な説明】
【技術分野】
【０００１】
本発明は、外装体に収納した収納体の一部を外部に臨ませる包装装置に関する。
【背景技術】
【０００２】
特許文献１には、電子機器等商品となる収納物品を収納体となる緩衝体を外装体に収納する包装装置が記載されている。この特許文献１の収納装置では、緩衝体を発泡スチロール等の弾性材料で形成し、収納物品を緩衝体で包囲し、収納物品を包囲した緩衝体を段ボール等の厚紙で形成された筒状の外装体に嵌挿するようにしている。また、筒状の外装体の開口端には、折込係止片を設け、緩衝体に形成された係合凹部に係止させ、搬送中等に外装体から収納物品を包囲した緩衝体が脱落しないようにしている。
【０００３】
この特許文献１の包装装置では、筒状の外装体の両端開口部より緩衝体が外部に臨むようになっている。特許文献１の包装装置は、専ら搬送時の収納物品の保護を目的としたものであり、装飾的要素はなく、例えばユーザが購入し、使用を開始した際、その用途は無く、廃棄処分されるのが通常である。また、特許文献１の包装装置において収納物品の識別は、外装体や外装体から外部に臨んだ緩衝体に貼付されたシールの記載等で行われ、識別しにくいものである。特に、このような識別方法は、商品の陳列時には購買者には分かりづらく、不適切である。
【０００４】
【特許文献１】実公昭５８−２９００５号公報
【発明の開示】
【発明が解決しようとする課題】
【０００５】
本発明は、以上のような問題点に鑑みてなされたものであり、その目的は、収納体の一部を外装体の開口部より外部に臨ませることで、収納物品の識別を容易にすることができる包装装置を提供することにある。
【０００６】
また、本発明の目的は、収納物品の使用開始した後であっても、備品等の収納箱として使用することができる包装装置を提供することにある。
【課題を解決するための手段】
【０００７】
本発明に係る包装装置は、収納物品を収納する収納体と、上記収納体が嵌挿される外装体とを備える。上記外装体には、一側面に上記収納体の挿入口が形成されると共に、上記一側面に対向する他側面に上記収納体を外部に臨ませる開口部が形成される。上記挿入口は、上記外装体に一体の蓋体に閉塞される。上記収納体の開口部には、互いに相対する一対の辺に、上記開口部内に折り込まれる第１及び第２の折込片が形成されると共に、上記一対の辺の間の辺に、上記第１及び第２の折込片に連続し上記開口部の内側から外側に折り返される折返し片が形成される。上記開口部は、上記折返し片によって一部が閉塞されると共に、開口されている領域より上記収納体の挿入面を外部に臨ませる。
【発明の効果】
【０００８】
本発明によれば、外装体の開口部は、上記折返し片によって一部が閉塞されると共に、開口されている領域より上記収納体の挿入面を外部に臨ませている。したがって、収納体の挿入面を化粧面にして、装飾的要素を加えることができ、これにより、収納物品の識別性を高めることができる。
【発明を実施するための最良の形態】
【０００９】
以下、本発明を適用した包装装置について図面を参照して説明する。
【００１０】
図１乃至図３に示すように、本発明を適用した包装装置１は、小型の電子機器、例えば磁気テープ、ディスクカートリッジ、ＩＣカード等を記録媒体に用いる携帯型記録再生装置を収納物品として包装するものであって、収納物品を収納する収納体２と、この収納体２を更に包装する外装体３とを備えている。
【００１１】
図３に示すように、収納物品を収納する収納体２は、発泡スチロール等の弾性体で収納物品を包囲したものを収納するものであり、段ボール等の厚紙を折り曲げて略矩形をなすように組み立てた組立体である。この収納体２は、図１に示すように、外装体３への挿入面となる前面２ａが化粧面となっており、収納物品の商標といった製品名、製造販売会社等が記載されていると共に、例えば色違い機種、上位下位機種といったように、関連性のある商品に統一性を持たせた模様、色彩等が施されている。
【００１２】
この収納体２は、図３に示すように、外装体３に、外装体３の背面３ａの挿入口４より挿入される。すなわち、外装体３は、収納体２が嵌挿されるように、収納体２より一回り大きく略矩形をなすように形成されており、収納体２が略矩形の背面に形成された収納体２の前面２ａと略同じ大きさの挿入口４より嵌挿されるようになっている。この挿入口４は、図２に示すように、外装体３と一体の蓋体５によって閉塞される。図１に示すように、挿入口４が形成された背面３ａと対向する前面３ｂは、収納体２の前面２ａと略同じ大きさで略矩形をなし、開口部６が形成されている。外装体３の前面３ｂは、長手方向の一方の側がストッパ７によって一部が閉塞され、その他の領域に開口部６が形成されている。ストッパ７は、挿入口４より収納体２が挿入されたとき、収納体２の前面２ａを係止し、開口部６が形成された外装体３の前面３ｂから収納体２が抜け落ちないようにする。この開口部６からは、収納体２の化粧面となっている前面２ａが外部に臨むことになる。
【００１３】
この外装体３は、段ボール等の厚紙でなるシート体１１を折曲して組み立てられ、部品点数の削減が図られていると共に、組立作業の簡素化が図られている。また、厚紙で形成された外装体３は、合成樹脂のシート体で形成された場合に比べ裁断、溶解等により容易に廃棄処分することができる。ここで、図４に収納体２が収納される外装体３の展開図を示す。
【００１４】
図４に示すように、シート体１１には、外装体３の第１の側面を構成する第１の側板部１２が形成されている。そして、第１の側板部１２には、第１の折目線１３を介して外装体３の底面を構成する底板部１４が形成されている。更に、底板部１４には、第１の折目線１３と平行な第２の折目線１５を介して外装体３の第２の側面を構成する第２の側板部１６が形成されている。更に、第２の側板部１６には、第２の折目線１５と平行な第３の折目線１７を介して外装体３の上面を構成する上板部１８が形成されている。また、第１の側板部１２には、第１の折目線１３と平行な第４の折目線１９を介して接合片２０が形成されている。
【００１５】
第１の側板部１２、底板部１４、第２の側板部１６及び上板部１７が形成されるシート体１１の一方の側縁部には、外装体３の蓋体５の構成部材が形成されている。すなわち、第１の側板部１２には、第５の折目線２１を介して内蓋片２２が形成され、第２の側板部１６には、第６の折目線２３を介して外蓋片２４が形成されている。更に、底板部１４には、第５及び第６の折目線２１，２３に連続した第７の折目線２５を介して第１の補強片２６が形成され、上板部１８には、第５乃至第７の折目線２１，２３，２５に連続した第８の折目線２７を介して第２の補強片２８が形成されている。
【００１６】
更に、内蓋片２２には、第５の折目線２１と平行な第９の折目線２９を介して差込片３０が形成されている。また、内蓋片２２には、第９の折目線２９の略中央に指掛け用の切欠部３１が形成されている。内蓋片２２と第１の側板部１２には、第５の折目線２１の略中央を跨ぐようにして略矩形の切り込みが形成され、第１の側板部１２側をヒンジとした外蓋片２４をロックする切り込み片３２が形成されている。すなわち、切り込み片３２は、中程の折目線３２ａで折り返されると共に、折目線３２ｂでヒンジが形成されている。
【００１７】
外蓋片２４には、更に、第６の折目線２３と平行な第１０の折目線３３を介して挿入片３４が形成されている。第１０の折目線３３内には、更に、切り込み片３２の係合スリット３５が形成されている。また、挿入片３４は、切り込み片３２の切り込みと切り込み片３２の両側の第５の折目線２１上に形成された挿入スリット３６に挿入される。
【００１８】
また、シート体１１の他方の側縁部では、第１の側板部１２に、第５の折目線２１と平行な第１１の折目線３７を介して第１の折込片３８が形成され、第２の側板部１６に、第６の折目線２３と平行な第１２の折目線３９を介して第２の折込片４０が形成されている。更に、底板部１４には、第７の折目線２５と平行な第１３の折目線４１を介して折返し片４２が形成されている。また、第１及び第２の折込片３８，４０と折返し片４２とは連続しており、第１の折込片３８と折返し片４２との間には、第１４の折目線４３が形成され、第２の折込片４０と折返し片４２との間には、第１５の折目線４４が形成されている。更に、第１の折込片３８には、第１１の折目線３７と第１４の折目線４３とのコーナ部を起点として、第１１の折目線３７や第１４の折目線４３に対して４５度傾斜した第１６の折目線４５が形成されている。また、第２の折込片４０には、第１２の折目線３９と第１５の折目線４４とのコーナ部を起点として、第１２の折目線３９や第１５の折目線４４に対して４５度傾斜した第１７の折目線４６が形成されている。そして、第１の折込片３８の第１４の折目線４３と第１６の折目線４５とに囲まれた領域は、折返し片４２を折り返す際の第１の折込部４７となり、第２の折込片４０の第１５の折目線４４と第１７の折目線４６とに囲まれた領域は、折返し片４２を折り返す際の第２の折込部４８となる。
【００１９】
次に、以上のような外装体３の組立方法について説明する。先ず、図３及び図４に示すように、シート体１１は、第１乃至第４の折目線１３，１５，１７，１９を一方向に略９０度折り曲げ、接合片２０を接着剤等で上板部１８の内面に貼り合わせ接合することによって略筒状に形成される。これにより、蓋体５が開放した状態の挿入口４が形成される。
【００２０】
また、図４及び図５に示すように、外装体３の前面３ｂ側では、第１及び第２の折込片３８，４０及び折返し片４２は、第１１乃至第１３の折目線３７，３９，４１で内側に折り込まれ、このとき、第１及び第２の折込片３８は、折返し片４２に対して第１４及び第１５の折目線４３，４４で９０度折り曲げられる。
【００２１】
なお、第１及び第２の折込片３８及び折返し片４２の折込は、接合片２０と上板部１８とを接合する前、すなわち展開状態で行うようにしても良い。
【００２２】
次いで、図４及び図６に示すように、内側に折り返されている折返し片４２は、第１１の折目線３７を介して外側に底板部１４に対して９０度となるまでに折り返される。このとき、第１及び第２の折込片３８，４０の一部である第１及び第２の折込部４７，４８は、第１６及び第１７の折目線４５，４６で折り返され、第１及び第２の折込片３８，４０と重なった状態となり、折返し片４２は、ストッパ７となる。そして、図３に示すように、外装体３の背面３ａの挿入口４からは、収納体２が前面２ａを挿入側として、外装体３の内部に、折返し片４２で構成されたストッパ７に突き当たるまで挿入される。そして、収納体２の前面は、外装体３の開口部６より外部に臨まされることになる。
【００２３】
ここで、折返し片４２は、第１及び第２の折り込み片３８，４０と一体であり、第１及び第２の折込部４７，４８形成しながら内側から外側に折り返されることによって形成するものであるから、挿入口４から挿入される収納体２のストッパ７として、十分な強度を出すことができる。
【００２４】
なお、第１６及び第１７の折目線４５，４６は、上述の例では、４５度傾斜しているが、この角度は、これに限定されるものではない。例えば、第１１の折目線３７や第１２の折目線３９に対して４５度より小さいときには、折り返し片４２の先端が外装体３の前面３ａより突出した状態となり、４５度より大きい場合には、折り返し片４２の先端が外装体３の前面３ａより内側に窪んだ状態となり、これらは、外装体３の用途に応じて変更可能である。
【００２５】
外装体３に収納体２が挿入されると、次いで、蓋体５によって挿入口４が閉塞される。具体的に、図３及び図４に示すように、先ず、第１及び第２の補強片２６，２８が第７及び第８の折目線２５，２７から挿入口４の内側に折り曲げられる。次いで、内蓋片２２は、第５の折目線２１より挿入口４側に折り曲げられ、更に、第９の折目線２９で内蓋片２２に対して折り曲げられた差込片３０が、第１及び第２の補強片２６，２８を覆うようにして第２の側板部１６の内側に挿入される。この後、外蓋片２４は、第６の折目線２３より内側に折り曲げられ、第１０の折目線３３で折り曲げられた挿入片３４が挿入スリット３６に挿入される。そして、第５の折目線２１と連続した折目線３２ａで折り曲げられた切り込み片３２は、係合スリット３５に挿入され、外装体３の背面３ａは、図２に示す状態となる。
【００２６】
かくして組み立てられた外装体３は、図１に示すように、前面３ｂの開口部６から収納体２の化粧面となっている前面２ａが臨まされることになる。このように収納物品を包装した包装装置１は、図７に示すように商品棚に陳列される。例えば、図７に示すように、陳列された包装装置１ａ〜１ｃは、収納体２の化粧面となる前面２ａに、共通のマーク「Ｗ」を印刷し、色を赤色、青色、黄色といった様々な色彩や模様を施すことで、関連性を持たせている。このように、開口部６より外部に臨まされている化粧面にバリエーションを持たせ、関連性のある商品の包装装置として統一性を持たせた模様、色彩等を施したときには、他の商品群と明確に区別することができる。また、包装装置１では、化粧面となっている収納体２の前面２ａが外装体３の開口部６より外部に臨まされていることから、デザイン性に優れ、例えば、ユーザが収納物品である電子機器の使用を開始した後であっても、取扱説明書、保証書等の付属品の収納箱として廃棄されること無く使用され続けるように促すことができる。
【００２７】
また、包装装置１の外装体３のストッパ７となる折返し片４２は、第１及び第２の折込部４７，４８を介して第１及び第２の折込片３８，４０と一体であり、外装体３の内側から外側に向かって折り返されるものであるから、例えば、帯状部材を開口部６を跨ぐように接着した場合よりも機械的強度を高めることができる。また、外装体３は、１枚のシート体１１を元に組み立てられるものであるから組立が容易で、また、廃棄する際の処分も容易となる。
【００２８】
なお、外装体３開口部６に設けられるストッパ７となる折返し片４２は、図２に示すように、その先端部を直線状とする他、例えば、図８に示すように、凹部５１を形成しても良く、更に、図９に示すように、凸部５２を形成しても良い。
【図面の簡単な説明】
【００２９】
【図１】本発明を適用した包装装置を前面側から見た斜視図である。
【図２】図１に示す包装装置を背面側から見た斜視図である。
【図３】図１に包装装置の背面に形成された挿入口は開放された状態を示す斜視図である。
【図４】図１に示す包装装置を構成する外装体の展開図である。
【図５】外装体の前面の折返し片が内部に折り込まれた状態を示す要部斜視図である。
【図６】外装体の前面の折返し片が外側に折り返された状態を示す要部斜視図である。
【図７】図１に示す包装装置が商品棚に陳列された状態を示す要部斜視図である。
【図８】本発明を適用した包装装置の他の例を前面側から見た斜視図である。
【図９】本発明を適用した包装装置の他の例を前面側から見た斜視図である。
【符号の説明】
【００３０】
１  包装装置。２  収納体、２ａ  前面、３  外装体、３ａ  背面、３ｂ  前面、４  挿入口、５  蓋体、６  開口部、７  ストッパ、１１  シート体、１２  第１の側板部、１３  第１の折目線、１４  底板部、１５  第２の折目線、１６  第２の側板部、１７  第３の折目線、１８  上板部、１９  第４の折目線、２０  接合片、２１  第５の折目線、２２  内蓋片、２３  第６の折目線、２４  外蓋片、２５  第７の折目線、２６  第１の補強片、２７  第８の折目線、２８  第２の補強片  、２９  第９の折目線、３０  差込片、３１  切欠部、３２  切り込み片、３２ａ  折目線、３２ｂ  折目線、３３  第１０の折目線、３４  挿入片、３５  係合スリット、３６  挿入スリット、３７  第１１の折目線、３８  第１の折込片、３９  第１２の折目線、４０  第２の折込片、４１  第１３の折目線、４２  折返し片、４３  第１４の折目線、４４  第１５の折目線、４５  第１６の折目線、４６  第１７の折目線、４７  第１の折込部、４８  第２の折込部、５１  凹部、５２  凸部
【図１】
2007030926.tif 000003
【図２】
2007030926.tif 000004
【図３】
2007030926.tif 000005
【図４】
2007030926.tif 000006
【図５】
2007030926.tif 000007
【図６】
2007030926.tif 000008
【図７】
2007030926.tif 000009
【図８】
2007030926.tif 000010
【図９】
2007030926.tif 000011